(57)【要約】      （修正有）【課題】従来よりも冷却性能に優れ、組立が簡単で出力密度の高い蓄電デバイスを提供する。【解決手段】導電性を有する第１筒部と、導電性を有する第２筒部と、正極１３２および負極１３１のいずれか一方の第１電極と、いずれか他方の第２電極と、第１電極と第２電極の間に介在するセパレータ１３３と、を備え、前記第２筒部は、前記第１筒部の内側に配され、前記第１電極と前記第１筒部とが接触し、前記第２電極と前記第２筒部とが接触している、蓄電デバイス。集電体として機能する第２筒部の内部が空洞であるため、従来よりも冷却性能が向上する蓄電デバイス１００。また、バイポーラ構造を有しているので出力密度が高い蓄電デバイス１００。【選択図】図１０
2018206575.tif 000002
【特許請求の範囲】
【請求項１】
導電性を有する第１筒部と、導電性を有する第２筒部と、
正極および負極のいずれか一方の第１電極と、いずれか他方の第２電極と、第１電極と第２電極の間に介在するセパレータと、を備え、
前記第２筒部は、前記第１筒部の内側に配され、
前記第１電極と前記第１筒部とが接触し、前記第２電極と前記第２筒部とが接触している、蓄電デバイス。
【請求項２】
前記第１筒部と前記第２筒部との間の空間に、前記第１電極と前記第２電極と前記セパレータとが存在し、
前記第２筒部で囲われる内側の空間が、真空、又は気体で満たされている、
請求項１に記載の蓄電デバイス。
【請求項３】
前記気体が水素である、
請求項２に記載の蓄電デバイス。
【請求項４】
さらに、底部と、蓋部とを備え、
前記底部と前記第２筒部とが接触しておらず、
前記蓋部と前記第１筒部とが接触していない、
請求項１乃至３のいずれか１項に記載の蓄電デバイス。
【請求項５】
前記底部と前記蓋部とが導電性を有し、
前記底部と前記第１筒部とが一体で構成され、
前記蓋部と前記第２筒部とが一体で構成されている、
請求項４に記載の蓄電デバイス。
【請求項６】
前記蓋部と前記第１筒部との間に絶縁部材を備える、
請求項４又は５に記載の蓄電デバイス。
【請求項７】
前記第１筒部は、外方に突出する鍔部を備える、
請求項４乃至６のいずれか１項に記載の蓄電デバイス。
【請求項８】
前記底部と前記蓋部とは孔を有し、
前記底部の孔と、前記蓋部の孔とは、前記第２筒部を介して流体が通過可能である、
請求項２乃至７のいずれか１項に記載の蓄電デバイス。
【請求項９】
請求項８に記載の蓄電デバイスを複数備え、
第１蓄電デバイスの蓋部の孔と、第２蓄電デバイスの底部の孔とは、流体が通過可能である、
蓄電デバイス。
【請求項１０】
第１蓄電デバイスから第２蓄電デバイスへの液体の流入を抑える抑止手段を備える、
請求項９に記載の蓄電デバイス。
【請求項１１】
前記抑止手段は、
前記第２筒部の内向きに設けられる突辺、
前記第２筒部又は該第２筒部の下方に配される撥水シート、
前記第２筒部の撥水加工、
前記第２筒部の内側面に設けられた凹凸、
の少なくともいずれか１である、
請求項１０に記載の蓄電デバイス。
【請求項１２】
有底の筒状の導電体であって、底部が下方に突き出た突出部を有する導電体と、
正極および負極のいずれか一方の第１電極、いずれか他方の第２電極、セパレータを含む電極群と、を複数備え、
隣り合う第１導電体と第２導電体において、
第２導電体が、第１導電体の上方に配され、
第２導電体の突出部が、第１導電体の筒部に囲われていて、
前記第２導電体の突出部と、前記第１導電体の筒部との間の空間に、第１電極群が存在する、蓄電デバイス。
【請求項１３】
前記第１電極群の第１電極と、前記第１導電体の筒部とが接触し、
前記第１電極群の第２電極と、前記第２導電体の突出部とが接触し、
前記第１導電体と前記第２導電体が集電体として機能する、
請求項１２に記載の蓄電デバイス。
【請求項１４】
前記第２導電体の底部と前記第１導電体の筒部との間に絶縁部材を備える、
請求項１３に記載の蓄電デバイス。
【請求項１５】
前記筒部は、外方に突出する鍔部を備える、
請求項１３又は１４に記載の蓄電デバイス。
【請求項１６】
第２導電体の突出部が筒状であり、該突出部の内側の空間が、真空又は気体で満たされている、
請求項１３乃至１５のいずれか１項に記載の蓄電デバイス。
【請求項１７】
前記気体が水素である、
請求項１６に記載の蓄電デバイス。
【請求項１８】
前記突出部の下方に孔の開いた底を有する、
請求項１６又は１７に記載の蓄電デバイス。
【請求項１９】
前記突出部又は該突出部の下方に撥水シートを備える、
請求項１６乃至１８のいずれか１項に記載の蓄電デバイス。
【請求項２０】
前記突出部が撥水加工されている、
請求項１６乃至１９のいずれか１項に記載の蓄電デバイス。
【請求項２１】
前記突出部の内側面に凹凸が設けられている、
請求項１６乃至２０のいずれか１項に記載の蓄電デバイス。
【発明の詳細な説明】
【技術分野】
【０００１】
本発明は、蓄電デバイスの構造に関する。
【背景技術】
【０００２】
蓄電デバイスは、電池やキャパシタに代表される電気を蓄積するデバイスである。キャパシタとはコンデンサのことで、電気二重層キャパシタが代表的ある。電池にはアルカリ電池やリチウムイオン電池などがある。
【０００３】
そして、電池やキャパシタなどの蓄電デバイスにおいては、内部の温度上昇が常に問題となる。温度が上昇すると性能低下や劣化を招くためである。そのため、蓄電デバイスにおいては、冷却性能が重要な要素となる。
【０００４】
これに対して、特許文献１に記載の電池では、電池の被覆材として高い電気抵抗を有し、熱伝達性の優れた材質としてセラミックを用いることにより、電池内部で発生する熱を外部へ効率的に放散させることが可能となる二次電池が提案されている。
【０００５】
また、電池の構造としては、モノポーラ型、バイポーラ型などがある。バイポーラ型の電池とは、集電体の一方の面に正極が形成され、他方の面に負極が形成された構造の電池である。バイポーラ型の電池は、高電圧化、部品点数の低減、単セル同士の電気抵抗の低減、不要空間の削減による高エネルギー密度化などが比較的容易なことから、電気自動車や各種電子機器の電源として広く用いられている。
【０００６】
特許文献２には、電解質層に高分子ゲル電解質や液体電解質を用いてなる電池において、電解質部分からの電解液の染み出しによる液絡（短絡）を防止するために、電解質層を保持するセパレータの外周部に成型配置されたシール用の樹脂を備えるバイポーラ電池が開示されている。
【０００７】
特許文献３には、非水電解液を用いた電池において、エチレン性二重結合およびエポキシ基を同一分子内に含む化合物を用いてグラフト変性した変性ポリオレフィン系樹脂を含有するシール材を採用することにより、電解液の染み出しのないシール性に優れたバイポーラ電極を提供することが開示されている。
【０００８】
また、アルカリ二次電池の正極活物質として使用されている水酸化ニッケルおよび二酸化マンガンは、金属酸化物であり、極めて電導度が低い。この問題を解決するために、例えば、特許文献４には、水酸化ニッケルに高次コバルト酸化物を導電剤として添加した活物質が開示されている。この活物質を用いれば、水酸化ニッケル粒子間に高次コバルト酸化物による導電性のネットワークが形成されるため、水酸化ニッケル粒子全体で充放電反応が進行しやすく、高容量化を達成することができる。
【先行技術文献】
【特許文献】
【０００９】
【特許文献１】特開２００８−１８６５９５号公報
【特許文献２】特開２０１１−１５１０１６号公報
【特許文献３】特開２０１３−０３７９４６号公報
【特許文献４】特開平１１−９７００８号公報
【発明の概要】
【発明が解決しようとする課題】
【００１０】
特許文献１の発明は、電池要素がケーシング内に隙間なく収納されているため、内部に熱がこもりやすく、温度上昇が十分に抑えられないという課題がある。特に、近年の二次電池やキャパシタには高出力特性が求められており、高出力すなわち高い充放電レートで充放電を行えば二次電池の内部温度が上昇して高温度になり、電極の活物質が損傷を受けるおそれがある。
【００１１】
また、電池には、正極、負極および電解液からなる単電池が複数組み合わされて構成された電池があり、一般的に組電池と称される。このような組電池は、電解液の炭酸劣化や液漏れによる周辺機器の腐食を防ぐため、密閉化した単電池が用いられる。
【００１２】
そして、各電極の電解質に含まれる電解液が染み出すと、それが各電極同士を電気的に接続する液絡が生じて、電池としての能力が大きく低下する。そのため、複数の単電池が組み合わされた組電池では、液絡を防ぐべく、単電池−単電池間の電解液が共有化しないように、単電池が密閉化されている。
【００１３】
特許文献２、３の発明は、液絡の防止を目的として樹脂製のシール材を用いているが、電池要素を樹脂で被覆しているので、電池内部で発生する熱の外部への伝導性が低下し、内部の電池温度が上昇を招くおそれがある。
【００１４】
また、上記した組電池においては、単電池間を配線等の接続部を介して電気的に接続しているので、配線である接続部において電気抵抗が生じるため、出力の低下を招く。また、組電池の小型化を考えると、接続部や密閉化するための部材、例えば蓋等の電気発生とは直接関係のない部材があることにより、組電池の出力密度やエネルギー密度を低下させている。また、部品点数の多いことは、組立に要する工数が増えることになる。また、組電池においては、単電池間の液絡を防ぐべく、密閉化した単電池を接続しているので、単電池の数だけ電解液の注液工程が必要となり、電解液の注液に時間がかかるという課題がある。
【００１５】
一方、上記したように二次電池やキャパシタは高出力特性が求められるところ、高出力すなわち高い充放電レートで充放電を行えば二次電池の内部温度が上昇して高温度になるため、充放電レートは制限を受け、高出力化を困難にしている。
【００１６】
また、導電剤として高価な高次コバルト酸化物に代えて、黒鉛化炭素材料を導電剤として用いれば、充分な導電性を得られるが、黒鉛化炭素材料は耐食性が良くないために充放電を繰り返すと炭素材料が酸化劣化し、導電性が次第に低下する。また、充電時に正極で発生した酸素は、負極の水素吸蔵合金を酸化して、水素吸蔵能力を低下させる。
【００１７】
本発明の目的は、以上の事情に鑑みなされたものであって、組立が簡単で出力密度の高い蓄電デバイスを提供することにある。また、別の目的は、電解液の注液を容易にするとともに液絡を防止する蓄電デバイスを提供することにある。また、別の目的は、冷却性能が高い蓄電デバイスを提供することにある。
【課題を解決するための手段】
【００１８】
本発明に係る一の態様の蓄電デバイスは、導電性を有する第１筒部と、導電性を有する第２筒部と、正極および負極のいずれか一方の第１電極と、いずれか他方の第２電極と、第１電極と第２電極の間に介在するセパレータと、を備え、前記第２筒部は、前記第１筒部の内側に配され、前記第１電極と前記第１筒部とが接触し、前記第２電極と前記第２筒部とが接触している。
【００１９】
この構成によれば、第１筒部の外側面を冷却することにより、蓄電デバイスの内部を効果的に冷却することができる。また、第１筒部が第１電極の集電体として機能し、第２筒部が第２電極の集電体として機能するところ、従来の中実の集電体と比較して、集電体の内部が空洞になっているため、従来よりも冷却性能が向上する。
【００２０】
また、この蓄電デバイスは、前記第１筒部と前記第２筒部との間の空間に、前記第１電極と前記第２電極と前記セパレータとが存在し、前記第２筒部で囲われる内側の空間が、真空又は気体で満たされている。
【００２１】
この構成によれば、第２筒部で囲われる内側の空間が真空又は気体で満たされている、すなわち、この空間が電解液などの液体で満たされていないことにより、冷却性能がより向上する。
【００２２】
また、この蓄電デバイスは、前記気体が水素である。この構成によれば、蓄電デバイスの内部に水素が存在し、内部で発生する酸素が水素と結合して水となるので、正極に含まれる導電剤等が酸化されず、蓄電デバイスの劣化を抑制する。
【００２３】
また、この蓄電デバイスは、さらに、底部と、蓋部とを備え、前記底部と前記第２筒部とが接触しておらず、前記蓋部と前記第１筒部とが接触していない。この構成によれば、底部と第２筒部が接触していないことにより、第２筒部の内部と、第２筒部の外側で第１筒部に囲われる空間が連通する。これにより、第２筒部の上方から電解液を注入することで、容易に蓄電デバイスの内部全体に電解液を充満させることができる。
【００２４】
また、この蓄電デバイスは、前記底部と前記蓋部とが導電性を有し、前記底部と前記第１筒部とが一体で構成され、前記蓋部と前記第２筒部とが一体で構成されている。
【００２５】
また、この蓄電デバイスは、前記蓋部と前記第１筒部との間に絶縁部材を備える。この構成によれば、蓋部と第１筒部とが確実に絶縁される。
【００２６】
また、この蓄電デバイスは、前記第１筒部が、外方に突出する鍔部を備える。この構成によれば、鍔部により外気との接触面積が増えるので冷却性能が向上する。また、蓄電デバイスをケーシングに入れた場合などにも、鍔部によりケーシングと密着せず冷却性能を向上できる。ここで、鍔部は第１筒部の端部に設けてもよく、端部以外に設けてもよく、複数設けてもよい。
【００２７】
また、この蓄電デバイスは、前記底部と前記蓋部とが孔を有し、前記底部の孔と、前記蓋部の孔とは、前記第２筒部を介して流体が通過可能である。また、この蓄電デバイスは、複数の蓄電デバイスが組み合わされ、第１蓄電デバイスの蓋部の孔と、第２蓄電デバイスの底部の孔とは、流体が通過可能である。この構成によれば、蓋部と底部とが孔を有するので、蓄電デバイスを複数組み合わせた場合に、一番上の蓄電デバイスの蓋の孔から電解液を注入すれば、各蓄電バイスの内部に電解液を注入することができる。そして、各蓄電デバイスの第２筒部の内部の電解液を引き抜くことで、各蓄電デバイス間の液絡を防止できる。
【００２８】
また、この蓄電デバイスは、第１蓄電デバイスから第２蓄電デバイスへの液体の流入を抑える抑止手段を備える。この構成によれば、第２筒部の内部の電解液を引き抜いた後、抑止手段が電解液の流入を抑止し、各蓄電デバイス間の液絡をより確実に防止できる。
【００２９】
また、この抑止手段は、例えば、前記第２筒部の内向きに設けられる突辺であり、前記第２筒部又は該第２筒部の下方に配される撥水シートであり、前記第２筒部の撥水加工であり、前記第２筒部の内側面に設けられた凹凸であり、これらを複数組み合わせてもよい。
【００３０】
ここで、第２筒部の内向きに設けられる突辺とは、例えば、第２筒部の内側面から内向きに突出する環状の突辺である。また、撥水シートをこの環状の突辺に載置してもよい。また、第２筒部の撥水加工は、例えば第２筒部の下方に施せば、第２筒部の下方と底部との隙間からの電解液の流入を効果的に防止できる。また、第２筒部の内側面を凹凸にすれば、凹凸の面が電解液の流入を抑止する。
【００３１】
また、本発明に係る一の態様の蓄電デバイスは、有底の筒状の導電体であって、底部が下方に突き出た突出部を有する導電体と、正極および負極のいずれか一方の第１電極、いずれか他方の第２電極、セパレータを含む電極群と、を複数備え、隣り合う第１導電体と第２導電体において、第２導電体が、第１導電体の上方に配され、第２導電体の突出部が、第１導電体の筒部に囲われていて、前記第２導電体の突出部と、前記第１導電体の筒部との間の空間に、第１電極群が存在する。
【００３２】
この構成によれば、第１導電体の筒部の外側面を冷却することにより、蓄電デバイスの内部を効果的に冷却することができる。ここで、導電体と電極群により構成される１つの蓄電デバイス（以下この１つの蓄電デバイスを「セル」と称する場合がある）を複数接続する場合、これらを接続する配線が存在しないため、配線の電気抵抗による出力の低下がない。また、配線やセルの蓋等が不要なので、蓄電デバイス全体の小型化を図ることができ、高容量化が期待できる。更に、エネルギー密度が向上して高出力化が期待できる。また、部品点数が減り組立工数の低減を図ることができる。
【００３３】
各セルは配線より断面積の大きな集電体としての機能を有する導電体（以下「集電体」と称する場合がある）により接続されているため、電気抵抗が小さく、高出力化を図ることができる。また、オーム損失が小さい。
【００３４】
また、この蓄電デバイスは、前記第１電極群の第１電極と、前記第１導電体の筒部とが接触し、前記第１電極群の第２電極と、前記第２導電体の突出部とが接触している。この構成によれば、充放電により電極で発生する熱は、集電体を介して速やかに外部に伝えられるので、各セル及び蓄電デバイス全体の内部温度の上昇が制限されて、高出力化が可能となる。
【００３５】
また、この蓄電デバイスは、前記第２導電体の底部と前記第１導電体の筒部との間に絶縁部材を備える。この構成によれば、第１導電体と第２導電体とを確実に絶縁できる。
【００３６】
また、この蓄電デバイスは、前記筒部が、外方に突出する鍔部を備える。この構成によれば、冷却性能が向上する。
【００３７】
また、この蓄電デバイスは、第２導電体の突出部が筒状であり、該突出部の内側の空間が、真空、又は気体で満たされている。この構成によれば、突出部が筒状であり、突出部の内側が真空であるか気体であり、電解液等の液体で満たされていないため、冷却性能が向上し、また各セルの液絡を防止する。
【００３８】
また、この蓄電デバイスは、前記気体が水素である。この構成によれば、蓄電デバイスの内部に水素が存在し、内部で発生する酸素が水素と結合して水となるので、正極に含まれる導電剤等が酸化されず、蓄電デバイスの劣化を抑制する。
【００３９】
また、この蓄電デバイスは、前記突出部の下方に孔の開いた底を有する。この構成によれば、各セルの内部が底の孔を介して連通するため、一番上のセルから電解液を注入すれば、各セルの内部に電解液を注入することができる。そして、各セルの突出部内側の電解液を引き抜くことで、各セル間の液絡を防止できる。
【００４０】
また、この蓄電デバイスは、前記突出部又は該突出部の下方に撥水シートを備える。撥水シートは、例えば微多孔膜またはポリオレフィンの不織布であり、一例としてポリエチレンまたはポリプロピレンである。この構成によれば、突出部内側の電解液を引き抜いた後、撥水シートが電解液の流入を抑止することで、各セル間の液絡をより確実に防止できる。また、電解液の流入を抑止する手段として、前記の撥水シートにかえて、又は、撥水シートとともに、突出部を撥水加工してもよい。また、突出部の内側面に凹凸を設けてもよい。
【発明の効果】
【００４１】
本発明によれば、組立が簡単で出力密度の高い蓄電デバイスを提供できる。また、複数の蓄電デバイスを組み合わせた際に、電解液の注入が容易となる。また、特別な構造の導電体を採用することにより、蓄電デバイスの高出力化、高容量化を可能にする。また、冷却性能が高い蓄電デバイスを提供できる。
【図面の簡単な説明】
【００４２】
【図１Ａ】集電体の平面図である。
【図１Ｂ】集電体の側面図であって左右幅方向の中心を通る前後方向の部分断面図である。
【図２Ａ】バイポーラ電池の構成要素を示す平面図である。
【図２Ｂ】バイポーラ電池の構成要素を示す軸方向断側面図である。
【図３】５セルからなるバイポーラ電池の軸方向断側面図である。
【図４Ａ】バイポーラ電池の組電池の組立断面図（側面）である。
【図４Ｂ】バイポーラ電池の組電池の組立断面図（平面）である。
【図５】バイポーラ電池の両端部の拡大図である。
【図６】組電池における配管を説明するための図面である。
【図７】バイポーラ電池の接続方法を説明するための図面である。
【図８Ａ】バイポーラ電池の接続方法を説明するための別の図面である。
【図８Ｂ】バイポーラ電池の接続方法を説明するための別の図面である。
【図９】集電体の側面の部分断面図である。
【図１０】５セルからなるバイポーラ電池の軸方向断側面図である。
【図１１Ａ】２つの集電体の間に電極群が収納された状態の軸方向断側面図である。
【図１１Ｂ】同Ｃ−Ｃ断面図である。
【発明を実施するための形態】
【００４３】
以下、本発明に係る一実施形態を説明するが、本発明は下記実施形態に限定されるものではない。特に、本実施形態は、バイポーラ型の二次電池を例に説明するが、本発明はバイポーラ型以外の電池やキャパシタなど、その他の蓄電デバイスに適用してもよい。
【００４４】
＜二次電池材料＞
本発明の各実施形態について説明するのに先立ち、本発明が適用される二次電池としてニッケル水素電池を例に取り説明する。なお、二次電池のタイプはこれに限定されるものでなく、二酸化マンガン電池、リチウムイオン電池、ニッケル亜鉛電池等の二次電池であってもよい。なお説明の都合上、第１電極を正極とし、第２電極を負極として説明する。
【００４５】
負極に用いる水素吸蔵合金として、希土類系合金であるＡＢ５型、ラーベス相合金であるＡＢ２型、チタン−ジルコニウム系合金であるＡＢ型、マグネシウム系合金であるＡ２Ｂ型などの合金系が挙げられる。このうち、水素貯蔵容量、充放電特性、自己放電特性およびサイクル寿命特性の観点から、ＡＢ５型の希土類−ニッケル合金である、ＭｍＮｉＣｏＭｎＡｌのミッシュメタルを含んだ５元系合金であることが好ましい。
【００４６】
正極活物質は、アルカリ二次電池の正極用として利用可能なものであれば特に限定されるものではなく、水酸化ニッケルであってもよく、二酸化マンガンであってもよい。正極用の導電剤は、放電時に電解液に溶出することなく、かつ、水素で還元されにくい炭素材料であることが好ましい。
【００４７】
電解液の耐性と充電時における耐酸化性の観点から、アモルファスカーボンを用いることが好ましい。特に、ソフトカーボンを用いることが好ましい。ソフトカーボンとは、不活性雰囲気中で加熱処理を施した時、黒鉛構造−炭素原子が構成する六角網平面が規則性をもって積層した構造−が発達し易いカーボンのことであり、易黒鉛化性炭素とも言われる。なお、グラファイトとは、上記ソフトカーボンを黒鉛化したカーボンであり、黒鉛とも称される。
【００４８】
ソフトカーボンのうち、部分的にグラファイト化したカーボンが好ましい。なかでも、ソフトカーボンの表面部分がグラファイト化したものが好ましい。グラファイト化が進展したソフトカーボンは、劣化しやすい。グラファイト化が少ないと導電性がよくならない。グラファイト化の割合は、ソフトカーボン全体を１００ｗｔ．％とすると、１０〜９０ｗｔ．％が好ましく、２０〜６０ｗｔ．％が更に好ましい。上述のような炭素材料を用いた正極は、サイクル寿命特性に優れた二次電池を実現することができる。
【００４９】
正負極の電極基板は、電気伝導性が高く、電解液中の安定性と耐酸化性がよい観点から、Ｎｉが好ましく、具体的には、発泡ニッケル基板もしくはニッケルメッキ鋼板が好ましい。
【００５０】
正極活物質粉末、結着剤、および、導電性粉末を混合してペースト状に混練する。このペーストを、電極基板に塗布または充填し、乾燥させる。その後、ローラープレス等で電極基板を圧延することにより正極を作製した。
【００５１】
同様に負極は、水素吸蔵合金粉末、結着剤、および、導電性粉末を混合することによって、ペーストを調製する。このペーストを、電極基板に塗布または充填し、乾燥させる。その後、ローラープレス等で集電体を圧延することにより負極を作製した。
【００５２】
電解質は、水素を活物質とする電池で用いられるものであれば特に限定されないが、例えば、水酸化カリウム（ＫＯＨ）、水酸化リチウム（ＬｉＯＨ）、水酸化ナトリウム（ＮａＯＨ）などの塩を水に溶かしたものが好適である。電池の出力特性の観点から、電解液は水酸化カリウム水溶液であることが好ましい。
【００５３】
セパレータの形状としては、微多孔膜、織布、不織布、圧粉体が挙げられ、このうち、出力特性と作製コストの観点から不織布が好ましい。セパレータの材質としては、特に限定されないが、耐アルカリ性、耐酸化性、耐還元性を有することが好ましい。具体的にはポリオレフィン系繊維が好ましく、例えば、ポリプロピレンもしくはポリエチレンが好ましい。
【００５４】
ポリオレフィン系繊維は疎水性であるので、親水処理する必要がある。水素ガス雰囲気中で使用する場合は、フッ素ガス処理を施したセパレータが好ましい。また、金属酸化物をセパレータの表面に塗布もしくは被覆したセパレータが好ましい。
【００５５】
集電体の材質として、電気伝導性が高く、電解液中の安定性と耐酸化性の観点から、Ｎｉ材が好ましく、具体的にはニッケルメッキ鋼板を用いた。ニッケルメッキを施すことにより、集電体がセパレータに含まれる電解液により腐食されるのを防止する。
【００５６】
＜第１実施形態＞
図１Ａに本発明の第１の実施形態に係るバイポーラ電池の集電体の平面図を、図１Ｂに側面の部分断面図を示す。図１Ｂは、図１Ａの平面図のＡ−Ａ線に沿った断面図である。集電体４は、ニッケルメッキ鋼板製の有底の円筒缶の底部を、円筒缶の軸方向外方に向かって突き出した突出部５を有している。したがって、集電体４は、円筒缶であった第１の筒部６と、底を形成していた第２の筒部である突出部５と、筒部６と突出部５とをつなぐ平坦な肩部８とを有する。
【００５７】
突出部５の頂部には穴７が設けられていて、集電体４で囲まれた空間と外部空間が、この穴を通じて連通するようになっている。筒部６と突出部５と穴７とは同心状の配置されている。本実施例では有底円筒缶を用いたが、楕円もしくは角形断面を有する筒状体であってもよい。集電体４の筒部６に繋がる開口部には筒部６から半径方向外方に広がる鍔部９が形成されている。鍔部９は冷却フィンとして作用するとともに後述する絶縁シート１４の座となり電池密閉のためのシールしろとしての機能を果たす。
【００５８】
図２Ａに本発明の第１の実施形態に係るバイポーラ電池の構成要素の平面図を、図２Ｂに図２Ａの平面図のＢ−Ｂ線に沿った断面図を示す。バイポーラ電池１０は、２つの集電体４と集電体４の内方に収納される１組の電極群１１とを主な構成要素として備えている。集電体４は図１に示したものを２つ用いてもよいが、よりコンパクトにするため、下側の集電体は筒部を有さない形態とした。ここで、筒部を有さない集電体を端部集電体４Ｔと称する。もっとも、集電体４と端部集電体４Ｔとを区別する必要がない場合、それらを総称して単に集電体４と称するものとする。
【００５９】
発電エレメントである電極群１１は、水素吸蔵合金を含む負極１と、正極活物質を含む正極２と、負極１と正極２の間に介在してイオンは透過するが電子を透過させないセパレータ３とで構成されている。電極群１１は、集電体４の軸方向に積層され集電体の内方に収納されている。そして、負極１、正極２およびセパレータ３の中央には、端部集電体４Ｔの突出部５が貫通する穴が設けられている。端部集電体４Ｔの突出部５は、正極２と負極１とセパレータ３とから構成される電極群１３の中央を、端部集電体４Ｔの軸方向に貫通している。
【００６０】
負極１および正極２の寸法と、集電体４の寸法との関係について説明する。負極１に設けられた穴の径は、端部集電体４Ｔの突出部の外径より小さい。したがって、負極の穴の周縁部は端部集電体４Ｔの突出部と接触して、負極１と端部集電体４Ｔは、電気的に接続されている。一方、正極２の中央に設けられた穴の径は、端部集電体４Ｔの突出部の外径より大きく、正極の穴の周縁部は端部集電体４Ｔの突出部と接触せず、正極２と端部集電体４Ｔは、電気的に絶縁されている。
【００６１】
負極１の外径は集電体４の筒部の内径よりも小さく、負極の外縁部と集電体４の筒部の内面は接触しておらず、負極と集電体４とは電気的に絶縁されている。一方、正極２の外径は集電体４の筒部の内径より大きく、正極２の外縁部は集電体４の筒部の内面と接触しており、正極２と集電体４とは電気的に接続されている。負極の穴の径は突出部の外径より少し小さく、正極２の外径は筒部の内径より少し大きい。
【００６２】
次に、負極１および正極２とセパレータ３の寸法との関係について説明する。セパレータ３の外縁が、正極２により覆われており、負極１の外縁が、セパレータ３により覆われている。そして、正極２の穴の周縁が、セパレータ３により覆われており、セパレータ３の穴の周縁が、負極１により覆われている。
【００６３】
すなわち、セパレータ３の外径は、負極１の外径より大きい。このため、負極１と正極２とは、集電体４の筒部６内周面近傍においてセパレータ３により完全に隔離されている。このため、電極が変形しても、正負の電極は互いに接触することがない。更に、セパレータ３に設けられた穴の径は、正極２に設けられた穴の径より小さい。このため、負極１と正極２とは、端部集電体４Ｔの突出部５の外周面近傍においてセパレータ３により完全に隔離されている。このため、電極が変形しても、正負の電極は互いに接触することがない。
【００６４】
また、セパレータ３の外径は正極２の外径より小さい。このため、正極２と集電体４の筒部６の間にセパレータ３が介在することがない。更に、セパレータ３に設けられた穴の径は、負極１の中央に設けられた穴の径より大きい。このため、負極１と集電体４Ｔの突出部５の間にセパレータ３が介在することがない。
【００６５】
集電体４と端部集電体４Ｔは軸方向に同心となるように重ねられている。集電体の突出部５の高さは、集電体の筒部６の高さより小さく、上下の集電体４が中央付近においても接触することはない。更に、集電体４と端部集電体４Ｔの間に絶縁シート１４を配置して、上下の集電体の絶縁を図っている。絶縁シート１４としては、例えば、ポリプロピレン製のシートを用いることができる。
【００６６】
２つの集電体４，４Ｔとこれに囲まれた電極群１１が、１つのセル１５を構成する。このセルを２つの端子板１６、１７でサンドイッチして、ボルト２０で連結してナット２１で固定してバイポーラ電池１０とする。なお、ナットはダブルナットとなっている。ボルト２０はビニール製の絶縁チューブ２２で覆われているので、集電体４の鍔部９の周縁端部において集電体４とボルト２０が接触して電気的に短絡が生じることはなく、また、端子板１６，１７とボルト２０が接触して電気的に短絡が生じることはない。
【００６７】
集電体４と端部集電体４Ｔに囲まれた空間に水素貯蔵室１３が形成されており、外部から供給された水素ガスおよび電解液が電気分解することにより内部で発生する水素ガスを貯蔵することができる。本実施例の電池において、負極容量を正極容量よりも小さく設定すれば、過充電時に負極から発生する水素ガスはこの水素貯蔵室１３に貯えることができる。水素貯蔵室１３は電解液の液溜まりとしても機能する。なお、電解液は、セパレータ３にも保持されている。
【００６８】
水素貯蔵室１３に蓄えられた水素ガスは、電池内部で発生する酸素と結合して水となるので、正極２が酸化するのを防ぐ役割を果たし、正極２の寿命特性を改善するとともに負極１を充電することができる。
【００６９】
２つの集電体４、４Ｔが、バイポーラ電池１０の軸方向に同心状に、互いに接触することなく積み重ねられている。集電体４の突出部５は正極端子板１７の中央に設けた穴に嵌合しており、筒部６を有さない端部集電体４Ｔの肩部８’は負極端子板１６の上に配置されている。集電体４の肩部８が正極端子板１７に接触しており、集電体４と正極端子板１７とが電気的に接続されている。また、端部集電体４Ｔの肩部８’が負極集電板１６に接触しており、端部集電体４Ｔと負極集電板１６とが電気的に接続されている。
【００７０】
集電体４は正極２に接続されており、端部集電体４Ｔは負極１に接続されているので、正極端子板１７は正極端子を構成し、負極端子板１６は負極端子を構成する。左側のボルト２０ａと負極端子板１６の間には絶縁ワッシャー２３ａが介在しているので、ボルト２０ａと負極端子板１６は電気的に絶縁されている。一方、ボルト２０ａと正極端子板１７の間には金属製の平ワッシャー２４ａが介在しているので、ボルト２０ａと正極端子板１７は電気的に接続されている。よって、ボルト２０ａは正極端子を構成する。左側のナット２１ａの間に正極ケーブルを接続することができる。
【００７１】
右側のボルト２０ｂと正極端子板１７の間には絶縁ワッシャー２３ｂが介在しているので、ボルト２０ｂと正極端子板１７は電気的に絶縁されている。一方、ボルト２０ｂと負極端子板１６の間には金属製の平ワッシャー２４ｂが介在しているので、ボルト２０ｂと負極端子板１６は電気的に接続されている。よって、ボルト２０ｂは負極端子を構成する。右側のナット２１ｂの間に負極ケーブルを接続することができる。なお、絶縁ワッシャーは絶縁性を有しておればよく、本実施例ではポリプロピレン製のものを用いた。
【００７２】
４本のボルト２０の左側の一対のボルト２０ａを正極端子とし、右側の一対のボルト２０ｂを負極端子としたが、４本のうち３本を負極端子とし、残りの１本を正極端子としてもよく、また、４本のうち３本を正極端子とし、残りの１本を負極端子としてもよい。
【００７３】
集電体４の穴７にはマイクロカプラ２６が取り付け可能になっていて、このマイクロカプラ２６を経由して、バイポーラ電池内の真空引きを行ったり、電解液を補充することができるようになっている。更に、マイクロカプラ２６を経由して、外部に設けた水素貯蔵源から水素ガスをバイポーラ電池内に供給することが可能となっている。負極端子板１６の底部にもマイクロカプラ２６を接続するための取付口２８が設けられている。
【００７４】
＜第２実施形態＞
図３に本発明の第２の実施形態に係るバイポーラ電池の軸方向断側面図を示す。図３に示すバイポーラ電池３０は５つのセルが直列に接続された電池となっている。図２Ｂに示した実施例１との相違点を中心に説明する。
【００７５】
図３において、左側のボルト２０ａが正極端子を構成し、右側のボルト２０ｂが負極端子を構成することは図２Ｂと同じであるが、ナット２１ｂが負極端子板１６側に配置されている点が異なっている。図２Ｂにおいては、負極ケーブルと正極ケーブルは同じ方向に取り出すようになっているのに対して、図３では負極ケーブルと正極ケーブルは反対方向に取り出すようになっている。電極ケーブルの取り出し方向は、組電池を構成するときに、電極ケーブルの取り回しの便の都合によって定める。
【００７６】
５つの集電体４−１〜５と一つの集電体４Ｔとが、バイポーラ電池３０の軸方向に同心状に、筒部６を上にして、互いに接触することなく積み重ねられている。各集電体４は絶縁シート１４により電気的に絶縁されている。一番上の集電体４−１の突出部５は正極端子板１７の中央に設けた穴に嵌合しており、一番下の端部集電体４Ｔの肩部８’は負極集電板１６の上に配置されている。筒部６を有さない端部集電体４Ｔを用いることにより、電池のデッドスペースをなくすことができて、電池容量を維持したまま容積を小さくすることができる。
【００７７】
複数の負極１と正極２および負極１と正極２の間に介在するセパレータ３を積層した電極群１１が、集電体４の内方に収納されている。２つの集電体４−１，４−２とこれに囲まれた電極群１１−１が、１つのセル１５−１を構成する。集電体４−１は、筒部６の内面が正極２に当接しているので正極集電体となり、集電体４−２は、突出部５が負極１に当接しているので負極集電体となる。
【００７８】
同様に、２つの集電体４−２，４−３とこれに囲まれた電極群１１−２が、セル１５−２を構成する。そして集電体４−２がセル１５−２の正極集電体となり、集電体４−３が負極集電体となる。以下同様に、集電体４−３，４−４とこれに囲まれた電極群１１−３が、セル１５−３を構成する。集電体４−４，４−５とこれに囲まれた電極群１１−４が、セル１５−４を構成する。集電体４−５，４Ｔとこれに囲まれた電極群１１−５が、セル１５−５を構成する。以上のように、バイポーラ電池３０はセル１５−１〜５が電気的に直列に接続された電池となる。
【００７９】
集電体４−１の頂部に設けた穴７にマイクロカプラ（図２Ｂ参照）を取り付けて、電解液をバイポーラ電池３０の内部に所定の圧力で注入する。注入された電解液は、集電体４に設けた穴７を経由して、各セル１５内部に行き渡る。電解液の注液作業を集約することができ、各セルごとに注液する必要がないので注液作業を簡素化することができる。
【００８０】
そして、電解液が各セル１５内部に行き渡った後、電解液を引き抜いて、各セル１５の突出部５内にある電解液を抜き取る。各セル１５において、電極群１１のある筒部６に電解液が残り、突出部５には電解液がない状態となる。その後、集電体４−１の頂部に設けた穴７から所定の圧力で、水素ガスを所定の圧力で注入する。そうすると、各セル１５の突出部５内に水素ガス行き渡る。これにより、各セル１５の筒部６には電解液が存在し、突出部５内には水素ガスが満たされた状態となる。なお、筒部６の電解液は、突出部５内の水素ガスの存在や下記の撥水シート３１等により、突出部５に流入しない。
【００８１】
また、集電体４の突出部５の内方に、突出部５の断面を覆うように円盤状の撥水シート３１が配置されている。そして、撥水シート３１の位置を保持するための押え板３２を突出部５の内部に設けられている。撥水シート３１は、突出部５の穴７から所定の圧力で供給された電解液と水素ガスを通す。そして、常圧においては、撥水シート３１は微多孔を有しているので、各セルに供給された水素ガスは各セル間を流通可能である一方、水をはじく性質を有する撥水シート３１により電解液は通過せず各セルに区分された状態となり、電解液を介してセル間で液絡を生じることはない。
【００８２】
撥水シート３１はポリオレフィン系の不織布であって、ポリエチレンもしくはポリプロピレンであってもよい。撥水シート３１は、絶縁性を有するパッキンとしても作用する。なお、撥水シート３１は突出部５の内方になくてもよく、穴７と電極群１１の間にあればよい。
【００８３】
図４Ａは、バイポーラ電池の組電池４０の組立断側面図である。図４Ｂは、バイポーラ電池の組電池４０の組立平面図である。図４Ａにおいて、図を簡単化するために電極群の記載は省略してある。１つのバイポーラ電池は複数のセルから構成されており、５セルの場合は図３を用いて説明した。
【００８４】
組電池４０は５つのバイポーラ電池を樹脂製の電池ケース４１に収納して構成されており、外部に空冷用の冷却ファン４２が設けられている。冷却ファン４２は、外気から冷却用の空気を吸込み、バイポーラ電池の軸方向に直角の向きに冷却風を送る。電池ケース４１内に送込まれた冷却風は集電体４の筒部６外側面を通過して、接続金具４３により拡散されて隣のバイポーラ電池に流れる。接続金具４３により冷却風の流れが乱されるので冷却効果が高まる。
【００８５】
図５にバイポーラ電池の両端部の拡大断面図を示す。図を簡単にするためにバイポーラ電池の中間部の記載を省略してある。各セルは通しボルト４４ａ、４４ｂにより固定されている。通しボルト４４は図示しない絶縁チューブにおり覆われており、通しボルトを介して集電体同士が短絡を起こすことがないようになっている。
【００８６】
接続金具４３はナット４５（図４Ｂ参照）により、その両端において、通しボルト４４に固定されている。接続金具４３は、電気の良導体でできている。本実施例において接続金具にアルミニュームを用いた。アルミニュームは鉄より電気低抗が小さいので、接続金具４３は鉄製の通しボルト４４よりも小さなオーム損失で電気を外部に伝えることができる。
【００８７】
負極集電板１６と接続金具４３の間に絶縁部材４６ａを配置して、接続金具４３を介してバイポーラ電池が短絡しないようになっている。同様に、正極集電板１７と接続金具４３の間に絶縁部材４６ｂを配置して、接続金具４３を介してバイポーラ電池が短絡しないようになっている。通しボルト４４ａは正極端子となり、通しボルト４４ｂは負極端子となり、電池ケース４１に設けた穴から電気を取り出すことができる。
【００８８】
本実施形態に係る組電池は、各バイポーラ電池の内圧が所定の値、例えば１Ｍｐａに達すると、電池内のガスを外部に排出する安全弁を備えている。具体的には、図６に示すように、各バイポーラ電池の電池ケース４１に設けられた各ガス排出口５０が、各接続管５１を介して１つの集合管５２に接続されている。集合管５２の端部には安全弁５３が設けられていて、バイポーラ電池の内部圧力が規定値以上になると、安全弁５３が作動してバイポーラ電池の内部圧力を開放する。集合管５１に圧力計を配置してもよい。
【００８９】
図７、８は、バイポーラ電池の接続方法を説明するための図面である。図７は、４つのバイポーラ電池６１を直列に接続して組電池６０を構成した例である。隣接するバイポーラ電池６１の正極端子４４ａと負極端子４４ｂとを接続バー６２により直列に接続する。端部に位置するバイポーラ電池６１の２つの負極端子４４ｂは接続バー６３により接続して組電池６０の負極端子とする。他方の端部に位置するバイポーラ電池６１の２つの正極端子４４ａは接続バー６４により接続して組電池６０の正極端子とする。
【００９０】
図８に示す組電池６０’は、４つのバイポーラ電池６１’を並列に接続した場合の例である。バイポーラ電池６１’は、絶縁部材４６の装着位置を調整することにより、正極端子および負極端子を同じ方向に取り出し可能にしたものである。図８Ａは、隣接するバイポーラ電池６１’の負極端子４４ｂを接続バー６４により接続したものである。図８Ｂは、隣接するバイポーラ電池６１’の正極端子４４ａを接続バー６５により接続したものである。接続バー６４は組電池６０’の負極端子となり、接続バー６５は組電池６０’の正極端子となる。
【００９１】
電池反応で生じる酸素は、発生後直ちに電池内に封入された水素と結合して水となるので、電池内部に水素ガスを封入すれば、正極に含まれる導電助剤も酸化劣化することがない。また、水素吸蔵合金も、同様に酸化されることがないので劣化を防ぐことができる。電極の寿命特性が改善されて電池の長寿命化が期待できる。
【００９２】
＜第３実施形態＞
次に、上記の実施形態から集電体の構造を変更した第３の実施形態について説明する。なお、下記の説明において、便宜上、蓋部や底部などの表現を用いるが、これは上下方向を限定するものでなく、蓋部が下方に、底部が上方に位置する構成でもよい。
【００９３】
図９に第３の実施形態に係る集電体の側面の部分断面図を示し、図１０に５つのセルを組み合わせた電池の軸方向断側面図を示す。第３の実施形態に係る電池について、第１の実施形態との相違点を中心に説明する。第３の実施形態の電池１００と第１の実施形態の電池１０の主な相違点は集電体の構造である。第１の実施形態の集電体４が１つの部材で構成されているのに対し、第３の実施形態の集電体は、第１集電体１１０と第２集電体１２０の２つの部材で構成されている。
【００９４】
図９に示すように、第１集電体１１０は、ニッケルメッキ鋼板製の有底の円筒缶であり、底部１１１と、そこから立ち上がる筒部１１２を備える。第２集電体１２０は、蓋部１２１と、そこから立ち上がる突出部１２２を備える。
【００９５】
また、第１集電体１１０の底部１１１の中央には、穴１１３が設けられている。また、筒部１１２の半径方向外方に広がり、底部１１１に続く鍔部１１４が形成されている。また、第２集電体１２０の突出部１２２は底１２３を有し、穴１２４が設けられている。
【００９６】
そして、図１０に示すように、第１集電体１１０と第２集電体１２０が上下方向に組み合わされ、これらに挟まれる空間に電極群１３０が収納されて、１つのセル１４０を構成している。なお、電極群１３０は、複数の負極１３１、正極１３２、セパレータ１３３から構成されている。また、セル１４０において、第２集電体１２０の突出部１２２の底１２３と、第１集電体１１０の底部１１１との間には、撥水シート１４１が配されている。また、第２集電体１２０の蓋部１２１と、第１集電体の筒部１１２との間には、絶縁シート１４２が配されている。
【００９７】
そして、このセル１４０が複数積み重なって、電池１００が構成されている。電池１００は、５つのセル１４０が積み重ねられた例である。また、第１や第２の実施形態と同様に、各セル１４０は、負極端子板１０１と正極端子板１０２によって挟まれて構成されている。なお、本実施形態においては、負極端子板１０１と正極端子板１０２に同じ構造のものを用いている。また、各セル１４０の接続は、溶接により接続してもよく、溶接を用いず負極端子板１０１と正極端子板１０２との圧縮によるものでもよく、その他一般的な接続方法を用いてもよい。
【００９８】
そして、電池１００内に電解液を所定の圧力で注入して各セル１４０内部に電解液を充満させ、その後電解液を引き抜いて各セル１４０の突出部１２２内にある電解液を抜き取る。そして、所定の圧力で水素ガスを注入する。そうすると、各セル１４０の突出部１２２内に水素ガスが充満する。これにより、各セル１４０の電極群１３０、特にセパレータ１３３に電解液が存在し、突出部１２２内には水素ガスが充満された状態となる。なお、筒部１１２の電解液は、突出部１２２内の水素ガスの存在や撥水シート１４１等により、突出部１２２に流入しない。
【００９９】
＜その他の実施形態＞
以上のとおり、図面を参照しながら本発明の好適な実施形態を説明したが、本発明の趣旨を逸脱しない範囲内で、種々の追加、変更または削除が可能である。例えば、上記の実施形態を次のように変更してもよい。
【０１００】
上記の実施形態では、中央に孔のあいた円板状の負極、正極、セパレータにより電極群を構成しているが、これにかえて、蛇腹状のセパレータ２０１に負極２０２と正極２０３が交互に挟み込まれる構成としてもよい。図１１Ａに２つの集電体を組み合わせ、間に電極群が収納された状態の軸方向断側面図を示し、図１１ＢにＣ―Ｃ断面図を示す。なお、図１１Ｂにおいて、負極及び正極、セパレータは一部のみ表示し、その他は省略している。また、上記の実施形態では円筒形の電池を例に説明したが、これに限られず角形の電池であってもよい。したがって、そのようなものも本発明の範囲内に含まれる。
【産業上の利用可能性】
【０１０１】
本発明に係るバイポーラ電池は、産業用のみならず民生用の蓄電装置として好適に用いることができる。
【符号の説明】
【０１０２】
１  負極
２  正極
３  セパレータ
４  集電体、端部集電体４Ｔ
５  突出部
６  筒部
７  穴
８  肩部
９  鍔部
１０  バイポーラ電池
１１  電極群
１３  水素貯蔵室
１４  絶縁シート
１５  セル
１６  負極端子板
１７  正極端子板
１８  負極端子
１９  正極端子
２０  ボルト
２１  ナット
２２  絶縁チューブ
２３  絶縁ワッシャー
２４  平ワッシャー
２５  コンパクトナット
２６  マイクロカプラ
３０  バイポーラ電池
３１  撥水シート
３２  押え板
４０  組電池
４１  電池ケース
４２  冷却ファン
４３  接続金具
４４  通しボルト
４５  ナット
４６  絶縁部材
５０  ガス排出口
５１  集合管
５２  接続管
５３  安全弁
６０  組電池
６１  バイポーラ電池
１００  電池
１１０  第１集電体
１２０  第２集電体
１３０  電極群
１４０  セル
１４１  撥水シート
１４２  絶縁シート
【図１Ａ】
2018206575.tif 000003
【図１Ｂ】
2018206575.tif 000004
【図２Ａ】
2018206575.tif 000005
【図２Ｂ】
2018206575.tif 000006
【図３】
2018206575.tif 000007
【図４Ａ】
2018206575.tif 000008
【図４Ｂ】
2018206575.tif 000009
【図５】
2018206575.tif 000010
【図６】
2018206575.tif 000011
【図７】
2018206575.tif 000012
【図８Ａ】
2018206575.tif 000013
【図８Ｂ】
2018206575.tif 000014
【図９】
2018206575.tif 000015
【図１０】
2018206575.tif 000016
【図１１Ａ】
2018206575.tif 000017
【図１１Ｂ】
2018206575.tif 000018
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
導電性を有する第１集電体と、前記第１集電体と接触しない導電性を有する第２集電体を備えた蓄電デバイスであって、
前記第１集電体は有底の第１筒部を有していて、前記第２集電体は有底の第２筒部を有するとともに前記第２筒部の開口部の外方に広がる蓋部を有していて、
前記第１筒部の底部と前記蓋部の間に負極および正極のいずれか一方の電極である第１電極と他方の電極である第２電極とが配されていて、
前記第２電極が前記第１筒部の内面に接触しており、第１電極が前記第２筒部の外面に接触していて、
前記第２筒部と前記第１筒部の底部の間に撥水シートが備えられている蓄電デバイス。
【請求項２】
前記第１筒部と前記蓋部の間に絶縁部材を配した請求項１に記載の蓄電デバイス。
【請求項３】
前記第１筒部の底部と前記第２筒部の底部には、流体が通過可能な孔を有している  請求項１または２のいずれか１項に記載の蓄電デバイス。
【請求項４】
負極および正極のいずれか一方の電極である第１電極と他方の電極である第２電極とを有する一の発電エレメントが一の前記第１筒部の底部と一の前記蓋部の間に配されていて、
前記第１電極と前記第２電極とを有する他の発電エレメントが他の前記第１筒部の底部と他の前記蓋部の間に配されていて、
前記一の発電エレメントの前記第１電極が前記一の第２筒部の外面に接触する一方、前記他の発電エレメントの前記第２電極が前記他の第１筒部の内面に接触する請求項１〜３のいずれか１項に記載の蓄電デバイス。
【請求項５】
請求項３に記載の蓄電デバイスを複数備え、一の前記蓄電デバイスの前記第１筒部の底部の孔と他の前記蓄電デバイスの前記第２筒部の孔とは流体の通過が可能である蓄電デバイス。
【請求項６】
一の前記蓄電デバイスから他の前記蓄電デバイスへの液体の流入を抑止する手段を備えた請求項５に記載の蓄電デバイス。
【請求項７】
前記抑止手段は、
前記第２筒部の内向きに設けられる突片、
前記第２筒部又は該第２筒部の下方に配される撥水シート、
前記第２筒部の撥水加工、
前記第２筒部の内側面に設けられた凹凸、
の少なくともいずれか１である請求項６に記載の蓄電デバイス。
【請求項８】
前記第１集電体は前記第１筒部の底部の外方に伸びる鍔部を有している請求項１に記載の蓄電デバイス。
【請求項９】
前記第２筒部で囲われる内側の空間が、真空、又は気体で満たされている、請求項１に記載の蓄電デバイス。
【請求項１０】
前記気体が水素である、請求項９に記載の蓄電デバイス。